(57)【要約】【課題】本発明は、容易に不純物を取り除くことが可能な水舟を提供する。【解決手段】本発明のオフセット輪転印刷機１０の水舟１３は、底体２１と、その底体２１の外周から上方に延ばされた側体２２とにより形成され、前記底体２１が傾斜して形成され、前記傾斜している底体２１の下端に不純物回収手段２７、２７ａを備えていることを特徴とする。【選択図】      図３
2005040949.tif 000002
【特許請求の範囲】
【請求項１】
底体と、その底体の外周から上方に延ばされた側体とにより形成される湿し水を収容する水舟において、
前記底体が傾斜して形成され、前記傾斜している底体の下端に不純物回収手段を備えていることを特徴とするオフセット輪転印刷機の水舟。
【請求項２】
底体と、前記底体の外周から上方に延ばされた側体とにより形成される湿し水を収容する水舟と、当該湿し水の一部が浸かった状態で回転するように配置される水元ローラと、を備えるオフセット輪転印刷機において、
前記水元ローラが回転する方向に前記水舟の底体が下がるように傾斜して形成され、前記傾斜している底体の下端に不純物回収手段を備えていることを特徴とするオフセット輪転印刷機の水舟。
【請求項３】
前記水舟は、内壁と外壁とから形成される二重構造であり、前記内壁と外壁との間には断熱材が配置されていることを特徴とする請求項１、又は２に記載のオフセット輪転印刷機の水舟。
【請求項４】
前記傾斜している底体の下端に窪み部を備えていることを特徴とする請求項１、又は２に記載のオフセット輪転印刷機の水舟。
【請求項５】
前記不純物回収手段は、前記窪み部の内壁に沿って湾曲して形成されていることを特徴とする請求項４に記載のオフセット輪転印刷機の水舟。
【請求項６】
前記不純物回収手段は、少なくとも一部に水抜き用の開口が形成されていることを特徴とする請求項１、又は２に記載のオフセット印刷機の水舟。
【発明の詳細な説明】
【０００１】
【発明の属する技術分野】
本発明は、オフセット輪転印刷機の湿し水供給装置に関する。
【０００２】
【従来の技術】
オフセット印刷において版上の同一平面上に形成された画線、非画線部の画線部にのみ選択的にインキを着肉せしめるため湿し水留め（以下、「水舟」と称する。）に蓄えられた湿し水を水着けローラを介して版全面に薄くコーティングして保水性加工のなされた非画線部に水分を与えその上から全面にインキローラにてインキをコーティングすると水と油の反発作用で水分が保水されている非画線部ではインキが反発して着肉せず、反対に親油性物質で形成された画線部にはインキが着肉される。このようにして同一平面上に画線部、非画線部が形成されているにも拘わらず画線部にのみ選択的にインキを着肉させることが可能となり、平版印刷（オフセット印刷）が成立する。従ってオフセット印刷において湿し水を安定的に供給させるために水舟は重要な役割を果たしている。
【０００３】
水舟の従来例を図６に示す。
【０００４】
水舟５０は、略水平状の底板５１とその底体５１の外周から上方向に略立設して設けられる側体５２とから構成され、上部に開口５３を有している。水舟５０は、断熱材５４により形成され、底板５１と側体５２とからなる内部には、湿し水５５が蓄えられる。また、水舟５０には、湿し水５５を供給する給水口５６ａを嵌合してなる供給パイプ５６と、湿し水５５を水舟内の所定高さに維持し、適宜湿し水５５を排水する排水口５７ａを有する排水パイプ５７と、が連絡する。
また、水舟５０の下方には、湿し水５５が水舟から溢れた際、及び結露等による湿し水を受けるための受け皿５８が設けられている。
【０００５】
水舟５０に蓄えられている湿し水５５は、同一平面上に画線部、非画線部が形成された印刷版（以下、「刷版」と称する。）上へ連続的に水元ローラ１４ａ、及び各ローラ類１４にて湿し水５５が供給され、非画線部に湿し水５５が供給するが前述の通り非画線部にはインキが着肉されず、画線部にのみ着肉される。そのインキの着肉された版の画線部、即ち絵柄はそのまま印刷紙に転移するのではなく、転移をきれいに行う目的でブランケット胴と称するゴムシートが巻かれた胴に一旦、転移された後この画線部（絵柄）が印刷紙に転移され印刷が成立する。その際、刷版上の残存水分が前述のブランケット胴にインキの着肉された画線と共に転移し、この水分により印刷紙の表面加工のための充填剤（填料）、パルプの繊維等を溶かしだし、これらがブランケット胴を介して刷版に逆転移して水元ローラ１４ａにより、水舟５０に還流し、水舟５０に不純物６０として沈殿する。そのため、適宜、水舟内の不純物６０を取り除く（清掃する）必要がある。
【０００６】
また、図６（ｂ）に水舟の清掃状態を示す説明図を示す。
【０００７】
水舟５０から沈殿物６０を取り除く（清掃する）場合は、図示のように、先ず、給水パイプ５６、排水パイプ５７をそれぞれ外し、印刷紙１を切断して受け皿５８の固定ボルトを緩めて受け皿５８を外し、さらに、水舟５０を取り外して湿し水５５を流した後、ウエス等で沈殿物６０を洗浄して水洗して水舟５０を清掃していた。
【０００８】
【発明が解決しようとする課題】
オフセット印刷では湿し水を使用するため、刷版上の残存水分が前述のブランケット胴にインキの着肉された画線と共に転移し、この水分により印刷紙の表面加工のための充填剤（填料）、パルプの繊維等を溶かしだし、これらがブランケット胴を介して刷版に逆転移して湿し水着けローラにより、水舟に還流し、水舟に沈殿し、水元ローラが常時回転して水着けローラに湿し水を供給しているため、撹拌されて前記不純物を版面に再供給してしまいインキと混合することによって白点汚れとなって印刷品質に欠陥を招くという問題点が生じていた。この問題点を解決するには水舟を機械から取り外し定期的に不純物を取り除く清掃を行う以外方法がなく、４色シート印刷機では４個、４／４輪転印刷機では８個の水舟の脱着と清掃に多大な時間ロスが生じるという問題点が生じていた。
【０００９】
また、水舟における不純物を取り除くための清掃においては、水舟を取り外して不純物を取り除く（清掃する）必要性が生じ非常に面倒であるという問題点が生じていた。
【００１０】
そこで、本発明によれば、容易に不純物を取り除くことが可能な水舟を提供することを目的とする。
【００１１】
【課題を解決するための手段】
以下、本発明について説明する。なお、本発明の理解を容易にするために添付図面の参照符号を括弧書きにて付記するが、それにより本発明が図示の形態に限定されるものではない。
【００１２】
本発明のオフセット輪転印刷機の水舟（１３）は、底体（２１）と、その底体の外周から上方に延ばされた側体（２２）とにより形成され、前記底体が傾斜して形成され、前記傾斜している底体の下端に不純物回収手段（２７、２７ａ）を備えていることを特徴とする。
【００１３】
このようにすれば、印刷時において発生するインキカス、紙粉等の不純物を所定の箇所に容易に集めて回収（不純物を除去）することができる。
【００１４】
また、本発明のオフセット輪転印刷機の水舟は、底体と、前記底体の外周から上方に延ばされた側体とにより形成される湿し水を収容する水舟と、当該湿し水の一部が浸かった状態で回転するように配置される水元ローラ（１４ａ）と、を備えるオフセット輪転印刷機において、前記水元ローラが回転する方向に前記水舟の底体が下がるように傾斜して形成され、前記傾斜している底体の下端に不純物回収手段を備えていることを特徴とする。
【００１５】
このようにすれば、印刷時において発生するインキカス、紙粉等の不純物を所定の箇所に容易に集めて回収（不純物を除去）することができる。
【００１６】
また、前記水舟は、内壁（３３）と外壁（３４）とから形成される二重構造であり、前記内壁と外壁との間には断熱材（３５）が配置されていることを特徴とする。
【００１７】
このようにすれば、結露を防止できる。
【００１８】
また、前記傾斜している底体の下端に窪み部（２６）を備えていることを特徴とする。
【００１９】
このようにすれば、印刷時において発生するインキカス、紙粉等の不純物を窪み部に集めることができる。
【００２０】
また、前記不純物回収手段は、前記窪み部の内壁に沿って湾曲して形成されていることを特徴とする。また、前記不純物回収手段は、少なくとも一部に水抜き用の開口（２８）が形成されていることを特徴とする。
【００２１】
このようにすれば、印刷時において発生するインキカス、紙粉等の不純物を窪み部に集め、容易にその不純物を外部に除去することができ、清掃が容易である。また、湿し水を常にきれいな状態で水元ローラに供給することができる。
【００２２】
【発明の実施の形態】
以下、本発明であるオフセット輪転印刷機の水舟に係る実施の形態について詳細に説明する。図１はオフセット輪転印刷機の概要を示す図、図２は印刷ユニットの構造図、図３は水舟の構造図、図４は他の実施形態の水舟の構造図である。なお、図４において、図３と共通する部分には同一符号を付し、それらの説明は省略する。
【００２３】
次に、本発明の実施の形態について図面を参照して説明する。
【００２４】
図１に示すオフセット輪転印刷機１０は、ウェブである印刷紙１の流れ方向に、給紙装置２、印刷装置７、インキ乾燥装置４、冷却装置５、折装置６を順に備えている。
【００２５】
給紙装置２で巻取紙２ａから繰り出されたウェブである印刷紙１は、後に詳しく述べる印刷装置７の各印刷ユニット３を通って表裏に多色印刷され、インキ乾燥装置４でインキが乾燥され、冷却装置５の多数の冷却ローラ５ａで冷却された後、折装置６で所望の形態に折られ切断される。
【００２６】
給紙装置２、インキ乾燥装置４、冷却装置５、折装置６は公知の装置であるからそれらの詳細な説明は省略することとし、印刷装置７の各印刷ユニットについて詳しく説明する。
【００２７】
図２に示すように、印刷ユニット３は、インキを有するインキツボ１１と、インキを転移する各ローラ類１２と、湿し水を蓄えるための水舟１３と、湿し水を版全面に薄くコーティングするための各ローラ類１４と、印刷紙面に転移をきれいに行う目的で一旦転移するための上版胴１５、下版胴１５ａ、下ゴム胴１６ａ、及び上ゴム胴１６等、を備えている。
【００２８】
ここで水舟１３は、オフセット印刷において版上の同一平面上に形成された画線、非画線部の画線部にのみ選択的にインキを着肉させるための湿し水を安定して供給するために設けられている。
【００２９】
次に水舟の構造について図３を用いて説明する。
【００３０】
図示のように、水舟１３は、底体２１とその底体２１の外周から上方向に立設する側体２２、２２、２２、２２とから構成され、上部に開口２３を有している。また、側体２２に囲まれる水舟１３の内部には、湿し水２５が蓄えられる。底体２１は、湿し水２５の水面に対して傾斜して設けられる。さらに具体的には、底体２１は、湿し水２５の一部が浸かった状態で回転するように配置される水元ローラ１４ａの回転方向に下がるように傾斜して設けられている。また、傾斜している底体２１の下端部は下方に突出するように窪み部２６が設けられている。また、傾斜は直線状に形成されているが、曲線状に形成してもよい。
【００３１】
図４は不純物回収手段を示し、図４（ａ）は概要図、図４（ｂ）は中受け皿に載置される不純物収集部材である。
【００３２】
図示のように、水舟１３には、傾斜している底体２１の下端から窪み部２６の内壁に沿って湾曲して不純物３０を堆積するための中受け皿２７が備られる。この中受け皿２７は、インキカス、紙粉等の不純物を収集するための不純物回収手段として機能する。また、中受け皿２７の一方の端部から水舟１３の側体２２に沿って上方外部に受け皿支持体２７ａを備える。受け皿支持体２７ａは外部に突出している先端が曲折して形成され、この先端は取っ手として機能する。また、受け皿支持体２７ａの一部には複数の開口２８が形成されている。この開口２８は水抜き穴として機能する。さらに、中受け皿２７の上部には、不純物を収集するための不純物収集部材を備えている。この不純物収集部材は、例えば、ナイロン系のスポンジを使用する。さらに具体的には、この不純物収集部材は、シート状の家庭用ナイロンタワシである。
【００３３】
また、水舟１３には、湿し水２５を供給するための給水口３１ａを有する給水パイプ３１を備えている。湿し水２５が水元ローラ１４ａにより供給される分だけ給水口３１ａから湿し水２５を水舟１３に供給する。
【００３４】
また、水舟１３の下方には、湿し水２５や結露等を受けるための受け皿２９と、湿し水２５等を外部へ放出するための受け皿コック２９ａを有する排出口２９ｂと、を備えている。この受け皿は排出側へ傾斜しているとなお良い。
【００３５】
水舟による動作について図１〜図３を参照して説明する。
【００３６】
オフセット輪転印刷機１０による印刷時において、水舟１３には一定量の湿し水２５が収容されている。この状態において、水元ローラ１４ａが回転し、湿し水２５を版胴（上版胴１５、下ゴム胴１６ａ等）に送り出す。また、水舟１３には常に一定量の湿し水２５が収容されるように給水される。
【００３７】
印刷時においては、通常は、水舟１３の内部にはインキカス、紙粉等の不純物３０が混入し、これが沈殿し、底部内面に堆積する。しかし、本願の水舟１３は、底部２１を傾斜させているため、不純物３０はその傾斜に沿って移動し、底体２１の下端に集められる。特に、底体２１は、水元ローラ１４ａの回転方向（図上矢印方向）に傾斜しているため、水元ローラ１４ａの回転に従って発生する水流によって効率的に不純物３０を移動させることができる。この不純物３０は、中受け皿２７に堆積する。
【００３８】
所定の期間経過後、この中受け皿２７を中受け皿支持体２７ａにより湿し水２５から取り出し、堆積した不純物３０を排出することにより、不純物３０を容易に且つ短時間で除去することができる。
【００３９】
また、窪み部２６を設けることにより、水元ローラ１４ａにより発生する湿し水２５中に発生する対流によっても、不純物３０が対流せず、窪み部２６に堆積したままにできるため、上方（水面上）の湿し水２５は絶えずきれいな状態に保つことが可能である。
【００４０】
また、不純物回収手段は不純物３０が堆積する部分以外に複数の開口２８を有しているため、中受け皿２７に溜まった湿し水２５以外の湿し水２５は水舟１３内に戻せるため、ほぼ不純物３０のみを外部に取り出すことができる。また、所定の期間経過後、この中受け皿２７を外部に取り出すのみで清掃が終了するので、機械を停止することなく、且つ手間をかけずに不純物の除去（清掃）を行うことができる。
【００４１】
図５は他の実施形態の水舟の構造図である。
【００４２】
図示のように、水舟１３には、排水口３２ａを有する排水パイプ３２を備えている。また、この排水パイプ３２は給水パイプ３１と接続して循環している。
【００４３】
また、水舟１３は、内壁３３と外壁３４とから形成される二重構造であり、この内壁３３と外壁３４との間には断熱材３５が配置されている。これにより水舟１３外面の結露防止が図れる。
【００４４】
以上に説明したように、本願のオフセット輪転印刷機１０の水舟１３は、底体２１と、その底体２１の外周から上方に延ばされた側体２２とにより形成され、底体２１が傾斜している。具体的には、底体２１と、その底体２１の外周から上方に延ばされた側体２２とにより形成される湿し水２５を収容する水舟１３と、当該湿し水２５の一部が浸かった状態で回転するように配置される水元ローラ１４ａと、を備えるオフセット輪転印刷機１０において、水元ローラ１４ａが回転する方向に水舟１３の底体２１が下がるように傾斜している。また、その傾斜している底体２１の下端に窪み部２６を備えている。また、水舟１３は、内壁３３と外壁３４とから形成される二重構造であり、その内壁３３と外壁３４との間には断熱材３５が配置されている。また、傾斜している底体２１の下端に支持体２７ａを有する中受け皿２７を備えている。また、支持体２７ａを有する中受け皿２７は、窪み部２６の内壁に沿って湾曲して形成されている。また、支持体２７ａを有する中受け皿２７は、少なくとも一部に水抜き用の開口２８が形成されている。
【００４５】
このようにすれば、印刷時に生じる不純物を容易に収集できるとともに、収集した不純物を容易に外部に除去することができる。また、水舟内の湿し水を絶えずきれいな水に維持できる。
【図面の簡単な説明】
【図１】オフセット輪転印刷機の概要図である。
【図２】印刷ユニットの構造図である。
【図３】水舟の構造図である。
【図４】図４は不純物回収手段を示し、図４（ａ）は概要図、図４（ｂ）は中受け皿に載置される不純物収集部材である。
【図５】他の実施形態の水舟の構造図である。
【図６】従来の水舟を示し、図５（ａ）は水舟の構造図、図５（ｂ）は水舟の清掃状態を示す説明図である。
【符号の説明】
１０  オフセット輪転印刷機
１３  水舟
１４ａ  水元ローラ
２１  底体
２２  側体
２６  窪み部
２７  不純物回収手段（中受け皿）
２７ａ  不純物回収手段（中受け皿支持体）
２８  開口
３３  内壁
３４  外壁
３５  断熱材
【図１】
2005040949.tif 000003
【図２】
2005040949.tif 000004
【図３】
2005040949.tif 000005
【図４】
2005040949.tif 000006
【図５】
2005040949.tif 000007
【図６】
2005040949.tif 000008